(57)【要約】      （修正有）【課題】巻き取り収納式のコードリールを有する電気掃除機において、コードの絡まりなくスムーズに巻き取ることが可能である電気掃除機を提供する。【解決手段】中央に略円錐状で傾斜面を有したコード巻き取り部を有すると共に一端にフランジ部を有したコードリール９と、一端にフランジ部を有したコードリールケース１０と、コードリールの他端部と、コードリールケースの他端部とが嵌合して形成されたコードリール部７を備え、傾斜面を有したコード巻き取り部の大径側を電源コード引き出し口５と相対する位置に配置させた。【選択図】図１
2014218322.tif 000002
【特許請求の範囲】
【請求項１】
電動送風機を収納する電動送風機室と、
コードを巻取り収納するためのコード収納室と、
電源コードの引き出し口を有した掃除機本体と、
中央に略円錐状で傾斜面を有したコード巻き取り部を有すると共に、一端にフランジ部を有したコードリールと、
一端にフランジ部を有したコードリールケースと、
前記コードリールの他端部と、前記コードリールケースの他端部とが嵌合して形成されたコードリール部とを備え、
前記傾斜面を有したコード巻き取り部の大径側を前記電源コード引き出し口と相対する位置に配置させたことで、巻き取った電源コードが前記傾斜面に沿って大径側から小径側へ滑り、コード引き出し口から離れた小径側から電源コードが巻き取られることを特徴とした電気掃除機。
【請求項２】
前記傾斜面を有したコード巻き取り部に滑り性のよい材料を用いた請求項１に記載の電気掃除機。
【発明の詳細な説明】
【技術分野】
【０００１】
本発明は、キャニスター型電気掃除機に関するものである。
【背景技術】
【０００２】
従来この種のキャニスター型掃除機は、電源コードを本体内部に格納する手段として、円筒形のコード巻取り面とその両端に一対のフランジを設けた形状のコードリールを有し、コードリールを回転することにより、電源コードを巻付け、本体内部に格納する構造としている（例えば、特許文献１参照）。
【０００３】
また、コードリールの回転軸を天地方向に配置し、かつコード巻取り面を傾斜させ、傾斜面の小径となる側を上方に配置し、コード孔を斜面の小径側と相対する位置に配置し、重力によるコードの自重でコード巻取り軸の下方、つまり大径側から巻き取る構成の掃除機も存在する（例えば、特許文献２参照）。
【０００４】
図６、図７は、特許文献１に記載された従来のコードリールを示すものである。
【０００５】
図７に示すように、従来のコードリールは、円筒型のコード巻取り面を有する一端にフランジを有するコードリール１００と、コードリール１００と嵌合され、一端にフランジを有する円筒型のコードリールケース１０１と、前記コードリール１００とコードリールケース１０１の回転軸となるリール軸１０２とから構成され、これらのコードリール部を囲う外郭上１０３と、外郭下１０４と外郭後ろ１０５により支持されており、図６に示すように、外郭後ろ１０５には電源コードを引き出すためのコード引き出し口１０６を有している。
【０００６】
図８は、特許文献２に記載された従来のコードリールを示すものである。図８に示すように、コードリール２００と、電源コード（図示せず）と、コードリール本体２０１と、支持部２０２と、コード巻取り軸２０３と、フランジ２０４と、コード引き出し口（図示せず）から構成され、前記コード巻取り軸２０３のコード巻取り面２０３ａは傾斜している。
【０００７】
コードリール部の前記コード巻取り軸２０３が天地方向配置され、前記コード巻取り面２０３ａの傾斜の小径となる側を上方に配置し、大径側を下方になるよう配置している。なおかつコード引き出し口（図示せず）が傾斜面の小径側と相対する位置に配置することにより、巻き取られた電源コードは、自重により下方に下がり、下側の大径側から巻き取られる。その結果巻き取られ部分が上方に移動する構成となっている。
【０００８】
この発明は、電源コードを前記コード巻取り面２０３ａの傾斜面に沿って巻くことにより、電源コードは傾斜面に沿って傾斜した状態で整列されるため、電源コードの表面積が増大し、電源コード自体の発熱を発散させることを目的としている。
【先行技術文献】
【特許文献】
【０００９】
【特許文献１】特開平７−１６３４８９号公報
【特許文献２】特開２００５−１５１７８号公報
【発明の概要】
【発明が解決しようとする課題】
【００１０】
しかしながら、前記特許文献１の円筒形のコード巻取り面を備えるコードリール部の構成では、本体ケースのコード引き出し口がコード巻取り面の中央になく、コードリール部端部のフランジ近傍に相対する位置にあるとき、巻き取られた電源コードがコード巻きつけ面のコード孔に近い端部に偏って巻かれてしまい、巻き取り時の巻き取りの妨げとなり、また引き出すときに内部で絡まるという課題を有していた。
【００１１】
また、特許文献２の構成では、コードの自重によりコード巻取り面１２ａの下側の端部から、電源コードを巻き取るものであり、コード巻き取り軸１２の配置が天地方向で、かつコード巻取り面の傾斜が、上方に小径側、下方に大径側となるように配置し、かつコード引き出し口が上方の小径側に相対する場合に限られ、条件が揃わないと効果がなく、かつ本体内部でコードが絡まり引き出しにくいという課題を有していた。
【００１２】
本発明は、前記従来の課題を解決するもので、コード孔が、コード巻取り面端部のフランジ近傍に位置する場合においても、偏りなく巻き取ることができ、スムーズな引き出しを可能としたコードリール部を提供することを目的とする。
【課題を解決するための手段】
【００１３】
前記従来の課題を解決するために、本発明の掃除機本体は、電動送風機を収納する電動送風機室と、コードを巻取り収納するためのコード収納室と、電源コードの引き出し口を有した掃除機本体と、中央に略円錐状で傾斜面を有したコード巻き取り部を有すると共に、一端にフランジ部を有したコードリールと、一端にフランジ部を有したコードリールケースと、前記コードリールの他端部と、前記コードリールケースの他端部とが嵌合して形成されたコードリール部とを備え、前記傾斜面を有したコード巻き取り部の大径側を前記電源コード引き出し口と相対する位置に配置させたことで、巻き取った電源コードが前記傾斜面に沿って大径側から小径側へ滑り、コード引き出し口から離れた小径側から電源コードが巻き取られることを特徴としたもので、これによって大径側から巻き始めたコードが前記傾斜面に沿って小径側方向に滑りながら移って、コード巻取り面の小径側から巻き取られ、この巻取られ部分が徐徐に大径側に移動し、絡まりなく巻き取られる。
【発明の効果】
【００１４】
本発明の電気掃除機は、コード引き出し口がコード巻きつけ面の端に寄った配置になる場合でもスムーズに電源コードを巻き取ることができ、これにより、コード引き出し口の配置についての制約が少なくなり、外観デザインの自由度が広がるとともに、掃除機本体の小型化を図ることができる。
【図面の簡単な説明】
【００１５】
【図１】本発明の実施形態１における電気掃除機の断面図
【図２】同、電気掃除機の背面図
【図３】同、電気掃除機の要部断面図
【図４】同、電気掃除機におけるコードリールの斜視図
【図５】同、電気掃除機におけるコードリール部の斜視図
【図６】従来の特許文献１に示す電気掃除機の後面図
【図７】従来の特許文献１に示す電気掃除機の断面図
【図８】従来の特許文献２に示す電気掃除機の断面図
【発明を実施するための形態】
【００１６】
第１の発明は、電動送風機を収納する電動送風機室と、コードを巻取り収納するためのコード収納室と、電源コードの引き出し口を有した掃除機本体と、中央に略円錐状で傾斜面を有したコード巻き取り部を、一端にフランジ部を有したコードリールを有すると共に、一端にフランジ部を有したコードリールケースと、前記コードリールの他端部と、前記
コードリールケースの他端部とが嵌合して形成されたコードリール部とを備え、前記傾斜面を有したコード巻き取り部の大径側を前記電源コード引き出し口と相対する位置に配置させたことで、巻き取った電源コードが前記傾斜面に沿って大径側から小径側へ滑り、コード引き出し口から離れた小径側から電源コードが巻き取られることを特徴としたもので、これによって大径側から巻き始めたコードが前記傾斜面に沿って小径側方向に滑りながら移って、コード巻取り面の小径側から巻き取られ、この巻取られ部分が徐徐に大径側に移動し、絡まりなく巻き取られる。
【００１７】
第２の発明は特に、第１の発明の傾斜面を有したコード巻き取り部に滑り性のよい材料を用いたことにより傾斜を電源コードが滑り易くし、スムーズな巻き取りの効果を高めることができる。
【００１８】
以下本発明の実施形態について、図面を参照しながら説明する。なお、この実施形態によって本発明が限定されるものではない。
【００１９】
（実施の形態１）
図１は本発明の実施形態１におけるキャニスター型電気掃除機の断面図、図２は同電気掃除機の背面図、図３は同電気掃除機のコードリール部の断明図、図４は、同電気掃除機のコードリールの斜視図、図５は同電気掃除機のコードリール部の斜視図である。
【００２０】
図１、２において、掃除機本体１は本実施の形態１におけるキャニスター型電気掃除機の本体であり、電動送風機２を収納する電動送風機室３と、電源コード１４を巻取り収納するためのコード収納室４を有し、電源コードを引き出すためのコード引き出し口５を備えた本体外郭６とを有する。前記コード収納室４の中には、電源コード１４を巻き取るためのコードリール部７を収蔵している。
【００２１】
前記コードリール部７は、回転中心となるリール軸８と、一端にフランジ９ｂを有し、コードを巻き取るためのコードリール９と、前記コードリール９と係合されると共に、一端にフランジ９ｂを有した、コードを巻き取るコードリールケース１０と、前記コードリールケース１０の中に配置されその反発力によってコードリールを回転させる巻きばね１１からなる。
【００２２】
図５に示すようにコードリール９は、隔壁１２にリール軸８を介して回動自在に軸支されている。
【００２３】
またコード収納室４は、前記リール軸８の一端を支持し、コード収納室４の一部を構成する隔壁１２と、前記リール軸８の他端を支持し同じくコードの収納室を構成する蓋１３により構成される。
【００２４】
前記コードリール９は傾斜したコード巻取り面９ａを有し、フランジ９ｂ側が大径であり、コードリールケース１０と係合される側は小径である。コード引き出し口５と、前記コードリール９の大径側、つまり傾斜したコード巻取り面９ａの大径側が相対する位置に構成されている。
【００２５】
以上のように構成された本実施の形態におけるキャニスター型電気掃除機について、以下その動作、作用について説明する。
【００２６】
図３、図４に示すように、大径側から巻付き始めた電源コードは、コード巻取り面９ａの傾斜に沿って小径側であるコードリールケース１０側方向へ滑って移動する。コード引き出し口５とは相対しない小径側から巻き取られ、その巻き取られ部分が大径側に移動す
る構成となっている。
【００２７】
従来のコードリールのように、コード引き出し口のすぐ近くで、巻き取られた電源コードが積み重なってコード引き出し口を塞いだり、積み重なった電源コードが崩れて絡まることが、起きにくい構成となっている。
【００２８】
また、本実施の形態では、コードリール９のコード巻取り面９ａに滑り性のよい素材を使うことにより、大径側から小径側に滑らかに滑り電源コードの絡まりは発生しにくくすることができる。
【産業上の利用可能性】
【００２９】
以上のように、本発明にかかるキャニスター型電気掃除機は、巻き取り収納式のコードリールにおいて、コードの絡まりなくスムーズに巻き取るもので、汎用性の高い構成であり、家庭用、業務用の各種電気掃除機にも応用できる。
【符号の説明】
【００３０】
１  掃除機本体
２  電動送風機
３  電動送風機室
４  コード収納室
５  コード引き出し口
６  本体外郭
７  コードリール部
８  リール軸
９  コードリール
９ａ  コード巻取り面
９ｂ  フランジ
１０  コードリールケース
１０ａ（コードリールケース側）フランジ
１１  巻きばね
１２  隔壁
１３  蓋
１４  電源コード
【図１】
2014218322.tif 000003
【図２】
2014218322.tif 000004
【図３】
2014218322.tif 000005
【図４】
2014218322.tif 000006
【図５】
2014218322.tif 000007
【図６】
2014218322.tif 000008
【図７】
2014218322.tif 000009
【図８】
2014218322.tif 000010